(57)【要約】      （修正有）【課題】一部品構成にして、飲みたい時に腰からペットボトルだけを簡単に取出すことができ、さらに腰に取付けてもペットボトルが揺動せず安定保持され、腰に痛みもなしで長時間使用できるペットボトル用携帯保持具を提供する。【解決手段】ペットボトル用携帯保持具は、保持具本体部１と差込部６を具備する。保持具本体部１は、飲料用ペットボトルの胴部の後方外周面側で、軸方向に沿わせて当てる主部２と、主部の下端から水平前方向に張出しペットボトルの底部を受け支える受部３と、受部の先端で上方へ屈曲し、胴部の前方外周面側で胴部の軸上方向へ向かう縦部４と縦部の上端部位で縦部に一体化し、胴部の前面側で胴部外周に沿うよう湾曲させて胴部外周面に当接する当て部５を有する。差込部６は、棒状又は板状にして、主部２の上端から受部３張出す側とは反対側に屈曲し、主部の下端方向へ延設される。【選択図】図１
0003155881.tif 000002
【実用新案登録請求の範囲】
【請求項１】
棒状又は板状のペットボトル用携帯保持具であって、飲料用ペットボトルの胴部の後方外周面側で、その胴部の軸方向に沿わせて該胴部に当てる主部(2)を設け、且つ該主部の下端から水平前方向に張出し前記ペットボトルの底部を受け支える受部(3)を設け、さらに該受部の先端で上方へ屈曲し、前記胴部の前方外周面側で該胴部の軸上方向へ向かう縦部(4)を設けると共に、該縦部の上端部位でこの縦部に一体化し、前記胴部の前面側で胴部外周に沿うよう湾曲させて胴部外周面に当接する当て部(5)を設けて、ペットボトルが保持される保持具本体部(1)と、
棒状又は板状にして、前記主部(2)の上端から前記受部(3)が張出す側とは反対側に屈曲し、該主部の下端方向へ延設される差込部(6)とを、具備することを特徴とするペットボトル用携帯保持具。
【請求項２】
前記保持具本体部が金属製棒状加工部であり、前記主部(2)を前記胴部の軸方向に沿わせて且つ離間させてなる一対の主棒部(2a)とし、前記受部(3)を両主軸部の下端からそれぞれ水平前方向に張出す一対の受棒部(3a)とし、さらに、前記縦部(4)を一対の前記受棒部(3a)の先端でそれぞれ上方へ屈曲し、上方へいくにしたがい末広がりに横幅が広がる一対の縦棒部(4a)とすると共に、前記当て部(5)を、前記胴部の前面側で胴部外周に沿うよう湾曲させた弧状棒部にして、その両端が前記両縦棒部(4a)の上端にそれぞれつながる当て棒部(5a)とする一方、前記差込部(6)も金属製棒状加工部にして、一対の前記主棒部(2a)の両上端から前記受棒部(3a)がそれぞれ張出す側とは反対側へＵ字状に屈曲し、該主棒部の下端方向へ延設すると共にその下端部分で、対向するよう屈曲させて両者を結合させた差込棒部(6a)とする請求項１記載のペットボトル用携帯保持具。
【請求項３】
前記保持具本体部が金属製棒状加工部であり、前記主部(2)を前記胴部の軸方向に沿わせて且つ離間させて平行配設される一対の主棒部(2a)とし、前記受部(3)を両主軸部の下端からそれぞれ水平前方向に張出す一対の受棒部(3a)とし、また、前記縦部(4)を一対の前記受棒部(3a)の先端でそれぞれ上方へ屈曲し、胴部の軸上方向に向かって平行配設される一対の縦棒部(4a)とし、さらに、前記当て部(5)を、前記胴部の前面側で胴部外周に沿うよう湾曲させた一本の弧状棒状体として、両縦棒部の上端に一体化溶接すると共に、両縦棒部からそれぞれ該胴部の周方向へ弧状に突出す突出部分(52)を有する当て棒部(5a)とする一方、前記差込部(6)も金属製棒状加工部にして、一対の前記主棒部(2a)の両上端から前記受棒部(3a)がそれぞれ張出す側とは反対側へＵ字状に屈曲し、該主棒部の下端方向へ延設すると共にその下端部分で、対向するよう屈曲させて両者を結合させた差込棒部(6a)とする請求項１記載のペットボトル用携帯保持具。
【請求項４】
前記保持具本体部(1)の金属製棒状加工部が金属製丸棒加工部であり、且つ前記当て棒部(5a)の一部分に平坦面(58)を設け、該平坦面に文字又は図形の刻印(59)が形成される請求項２又は３のペットボトル用携帯保持具。
【考案の詳細な説明】
【技術分野】
【０００１】
本考案は飲料用ペットボトルを携帯するのに用いられるペットボトル用携帯保持具に関する。
【背景技術】
【０００２】
ペットボトルはポリエチレン・テレフタレート（ＰＥＴ）を原料に成形されたプラスチック製容器で、飲料用ペットボトルには、緑茶等のお茶系、炭酸系、野菜・果実系等のさまざまなものがある。そして、小型で、例えば５００ｍｌサイズの飲料用ペットボトルが出現し、従来の水筒のような役割を果たしながら、持ち運びが便利な商品になっている。しかし、該ペットボトルを持つ片手がふさがるため、両手を使う畑作業や工事作業等ではどこかに置かなければならなかった。飲みたい時に直ぐに取り出せる状態にして飲むという訳にはいかなかった。首や肩などにペットボトルを掛けることも考えられるが、前かがみになったりすると該ペットボトルが邪魔になった。
こうしたことから、ズボンのベルトに、ペットボトルを保持したホルダーを掛止させる発明がこれまでいくつか提案されている（例えば特許文献１、２）。
【先行技術文献】
【特許文献】
【０００３】
【特許文献１】特開２００２−１９３２６０公報
【特許文献２】実用新案登録第３１２９５１８号公報
【考案の開示】
【考案が解決しようとする課題】
【０００４】
しかるに、特許文献１、２のいずれも、ペットボトルの首部の箇所で係止固定するだけのペットボトル用携帯保持具で、次のような問題があった。まず、ペットボトルは一箇所だけの固定であり、不安定であった。畑作業や工事作業等の身体を動かす場合、ペットボトルが首部を支点に揺動し、腰をたたき、さらには作業そのものを邪魔する虞があった。畑作業等では、腰を曲げたり起こしたりする身体の動きが繰り返されるため、揺動がさらに激しく、ペットボトルで腰を打つ回数が増加する問題があった。
また、特許文献１,２ともに、開口部に弾力性をもたせ、リング状の外周の一部が分割されて、この開口部をペットボトルの首部に差し込んで保持する構造であるため、畑作業等では、開口部の弾力性に抗する以上の立ちしゃがみの動きによって、開口部からペットボトルが抜け落ちてしまう虞があった。
加えて、特許文献１の第二クリップの可動片が腰に突き当たり、腰をつかう畑作業等では特に腰が痛みを受け易くなり、これを長時間取付けたままの作業がしづらい問題もあった。
そこで、本出願人は先に改良考案（実用新案登録第３１４６５１６号）を提案した。しかし、部品点数が保持具本体とゴムバンドの二点からなり、管理が煩わしかった。また、飲料水を飲もうとしたとき、保持具本体とゴムバンドからなる携帯保持具と一緒に、ペットボトルをズボンから引き抜かねばならなかった。さもなければ、ゴムバンドを外してからペットボトル単体を取り出す必要があり、面倒であった。
【０００５】
本考案は上記問題点を解決するもので、一部品構成の保持具にして、畑作業やウォーキング中等で、いつでも飲みたい時に腰からペットボトルだけを簡単に取出すことができ、しかも腰に取り付けてもペットボトルが揺動せず、ペットボトルを安定して保持し、且つ長時間使用しても腰に痛みが伴わないペットボトル用携帯保持具を提供することを目的とする。
【課題を解決するための手段】
【０００６】
上記目的を達成すべく、請求項１に記載の考案の要旨は、棒状又は板状のペットボトル用携帯保持具であって、飲料用ペットボトルの胴部の後方外周面側で、その胴部の軸方向に沿わせて該胴部に当てる主部(2)を設け、且つ該主部の下端から水平前方向に張出し前記ペットボトルの底部を受け支える受部(3)を設け、さらに該受部の先端で上方へ屈曲し、前記胴部の前方外周面側で該胴部の軸上方向へ向かう縦部(4)を設けると共に、該縦部の上端部位でこの縦部に一体化し、前記胴部の前面側で胴部外周に沿うよう湾曲させて胴部外周面に当接する当て部(5)を設けて、ペットボトルが保持される保持具本体部(1)と、棒状又は板状にして、前記主部(2)の上端から前記受部(3)が張出す側とは反対側に屈曲し、該主部の下端方向へ延設される差込部(6)とを、具備することを特徴とするペットボトル用携帯保持具にある。
請求項２の考案たるペットボトル用携帯保持具は、請求項１で、保持具本体部が金属製棒状加工部であり、前記主部(2)を前記胴部の軸方向に沿わせて且つ離間させてなる一対の主棒部(2a)とし、前記受部(3)を両主軸部の下端からそれぞれ水平前方向に張出す一対の受棒部(3a)とし、さらに、前記縦部(4)を一対の前記受棒部(3a)の先端でそれぞれ上方へ屈曲し、上方へいくにしたがい末広がりに横幅が広がる一対の縦棒部(4a)とすると共に、前記当て部(5)を、前記胴部の前面側で胴部外周に沿うよう湾曲させた弧状棒部にして、その両端が前記両縦棒部(4a)の上端にそれぞれつながる当て棒部(5a)とする一方、前記差込部(6)も金属製棒状加工部にして、一対の前記主棒部(2a)の両上端から前記受棒部(3a)がそれぞれ張出す側とは反対側へＵ字状に屈曲し、該主棒部の下端方向へ延設すると共にその下端部分で、対向するよう屈曲させて両者を結合させた差込棒部(6a)とすることを特徴とする。請求項３の考案たるペットボトル用携帯保持具は、請求項１で、保持具本体部が金属製棒状加工部であり、前記主部(2)を前記胴部の軸方向に沿わせて且つ離間させて平行配設される一対の主棒部(2a)とし、前記受部(3)を両主軸部の下端からそれぞれ水平前方向に張出す一対の受棒部(3a)とし、また、前記縦部(4)を一対の前記受棒部(3a)の先端でそれぞれ上方へ屈曲し、胴部の軸上方向に向かって平行配設される一対の縦棒部(4a)とし、さらに、前記当て部(5)を、前記胴部の前面側で胴部外周に沿うよう湾曲させた一本の弧状棒状体として、両縦棒部の上端に一体化溶接すると共に、両縦棒部からそれぞれ該胴部の周方向へ弧状に突出す突出部分(52)を有する当て棒部(5a)とする一方、前記差込部(6)も金属製棒状加工部にして、一対の前記主棒部(2a)の両上端から前記受棒部(3a)がそれぞれ張出す側とは反対側へＵ字状に屈曲し、該主棒部の下端方向へ延設すると共にその下端部分で、対向するよう屈曲させて両者を結合させた差込棒部(6a)とすることを特徴とする。請求項４の考案たるペットボトル用携帯保持具は、請求項２又は３で、保持具本体部(1)の金属製棒状加工部が金属製丸棒加工部であり、且つ前記当て棒部(5a)の一部分に平坦面(58)を設け、該平坦面に文字又は図形の刻印(59)が形成されることを特徴とする。
【考案の効果】
【０００７】
本考案のペットボトル用携帯保持具は、腰に取り付けて、いつでも飲みたい時にペットボトルだけを簡単に取出すことができ、且つ畑作業やウォーキングなどの運動をしてもペットボトルが揺動せず、ペットボトルを安定して保持し、さらに腰等に長時間取付けていても負担にならないなど優れた効果を発揮する。
【図面の簡単な説明】
【０００８】
【図１】実施形態１のペットボトル用携帯保持具で、その全体斜視図である。
【図２】図１のペットボトル用携帯保持具の右側面図である。
【図３】図２のペットボトル用携帯保持具の平面図である。
【図４】図２のペットボトル用携帯保持具の底面図である。
【図５】図１のペットボトル用携帯保持具にペットボトルを収容,保持した斜視図である。
【図６】図３の他態様図である。
【図７】図５のペットボトルに取着した携帯保持具をズボンのバンドに取付けた斜視図である。
【図８】実施形態２のペットボトル用携帯保持具で、その全体斜視図である。
【図９】図８のペットボトル用携帯保持具の右側面図である。
【図１０】図８のペットボトル用携帯保持具の正面図である。
【図１１】図８のペットボトル用携帯保持具の平面図である。
【図１２】実施形態３のペットボトル用携帯保持具の斜視図である。
【考案を実施するための形態】
【０００９】
以下、本考案に係るペットボトル用携帯保持具(以下、単に「携帯保持具」という。)について詳述する。
（１）実施形態１
図１〜図７は本考案の携帯保持具の一形態で、図１はその全体斜視図、図２は図１の携帯保持具の右側面図、図３は図２の平面図、図４は図２の底面図、図５は図１の携帯保持具にペットボトルを収容,保持した斜視図、図６は当て部の前面側に刻印を付与した図３の他態様図、図７は図５のペットボトルに取着した携帯保持具をズボンのバンドに取付けた斜視図を示す。
【００１０】
携帯保持具Ａは棒状又は板状形成されるが、本実施形態は、一の棒状体の曲げ加工によって形成された携帯保持具で、保持具本体部１と差込部６とを具備する。保持具本体部１は主部２と受部３と縦部４と当て部５とを備える（図１）。
主部２は、飲料用ペットボトル７の胴部７１の後方外周面７１ａ側で、その胴部７１の軸方向(中心軸方向)に沿わせて、これに当てる保持具本体部１の一構成部分になっている。本発明における「胴部７１の後方外周面７１ａ側」は、差込部６側のペットボトル７の外周面側をいい、図７のようにペットボトル７が保持具本体部１に保持される状態下で、ズボン９に近い側のペットボトル胴部７１の外周面側をいう。
保持具本体部１がステンレス鋼製又はアルミニウム製等の金属製棒状加工部であり、ここでは、前記主部２を前記胴部７１の軸方向に沿わせて且つ離間させてなる一対の主棒部２ａとする。主棒部２ａ（後述の受棒部３ａ,縦棒部４ａ,差込棒部６ａを含む。）を円柱状軸部にし、その軸径を例えば３ｍｍφとする。両主棒部２ａを離間させる距離は、ペットボトル７の直径よりも小さくする。両主棒部２ａの離間幅がペットボトル７の直径よりも小さいので、図３のごとく両主棒部２ａ間にペットボトル胴部７１の一部が嵌るように当接させて、携帯保持具Ａにペットボトル７を収容,保持できる。主棒部２ａの高さは、ペットボトル７の胴部高さよりも少し低い（図５）。携帯保持具Ａに収容されたペットボトル７を取出し易くするためである。
【００１１】
受部３は、前記主部２の下端２１から水平前方向に張出し前記ペットボトル７の底部７０を受け支える保持具本体部１の一構成部分である。受部３を両主棒部２ａの下端からそれぞれ水平前方向に張出す一対の受棒部３ａとする。受棒部３ａの水平前方向に張出す長さは、５００ml用ペットボトル胴部７１の直径にほぼ等しい。本発明で、「主部２の下端２１」とは、ペットボトル７が保持具本体部１に保持される図２,図７の状態下で、その主部２の下端をいう。「主部２の下端２１から水平前方向」の「水平前方向」は、図７のように、ペットボトル７が保持具本体部１に保持される状態下で、ズボン９に接する主部２から縦部４の在る水平外方向へ遠ざかる方向をいう。
【００１２】
縦部４は、前記受部３の先端３１(前端)で上方へ屈曲し、前記胴部７１の前方外周面７１ａ側で該胴部７１の軸上方向(中心軸上方向)へ向かう保持具本体部１の一構成部分である。縦部４を一対の前記受棒部３ａの先端３１でそれぞれ上方へ屈曲し、上方へいくにしたがい末広がりに横幅が広がる一対の縦棒部４ａとする。さらに、該縦棒部４ａは、上方へいくにしたがい主部２側へ後方傾斜させる（図１,図２）。縦部４は主棒部２ａよりも短く、主棒部２ａの高さよりも低い地点が縦部上端４２になる。携帯保持具Ａに収容されたペットボトル７を、その胴部前面側７１ｂの上端部分及びコーン部７２を掴んで、取り出し易くするためである。本発明で前記「受部３の先端３１で上方へ屈曲し」の「上方」とは、受部３にペットボトル７の底部７０を載せてペットボトル７をズボン９に携帯保持具Ａを介して取付ける図７の状態下で、同図の紙面上方をいう。また、「胴部７１の前方外周面側」の「前方」とは、主部２に対して縦部４が在る方向をいう。
【００１３】
当て部５は、前記縦部４の上端部位４１でこの縦部４に一体化し、前記胴部７１の前面側７１ｂで胴部外周に沿うよう湾曲させて、胴部外周面７１ａに当接する保持具本体部１の一構成部分である。当て部５を、前記胴部７１の前面側で胴部外周に沿うよう湾曲した弧状棒部にして、その両端が前記両縦棒部４ａの上端４２にそれぞれつながる当て棒部５ａとする。当て部５は、縦部４の上端４２で水平前方側へ張出して屈曲し、前方側に平面視円弧状に膨出する格好で湾曲する弧状棒部にする。図３の平面視で、受部３と縦部４と当て部５と主部２とで囲む収容スペースＳにペットボトル７の胴部７１が納まる。図２で、当て部５はペットボトル胴部７１と少し干渉しており、保持具本体部１へのペットボトル７の収納時は、ペットボトル７に係る丸みある底部７０が縦部４を弾性変形させて、図２の矢印のごとく水平前方へ押し出した後、その弾性復元力で図３のごとくペットボトル胴部７１に当接している。縦部４の弾性復元力の力を借りて、当て部５がペットボトル７を押圧保持できるので、より好ましくなっている。
また、図６は図３に代わる他態様の図面で、当て部５に所有者に関係する氏名の文字（記号を含む）や図形等の刻印５９を設けた保持具本体部１とする。保持具本体部１が金属製丸棒加工部であり、且つ前記当て棒部５ａの一部分を押し潰して平坦面５８を設け、該平坦面５８に文字又は図形の刻印５９が形成される。尚、図２では主棒部２ａが胴部外周面７１ａに当接するが、図面を判り易くするため少し離している。
かくのごとくして、ペットボトル７の底部７０を受部３に載せ、且つペットボトル胴部７１の後面側７１ｃに主部２を当てると共に、胴部７１の前面側７１ｂに当て部５を当てて、ペットボトル７を保持する保持具本体部１が形成される。
【００１４】
差込部６は棒状又は板状にして、前記主部２の上端２２から前記受部３が張出す側とは反対側に屈曲し、該主部２の下端方向へ延設される携帯保持具Ａの一構成部分である。本実施形態は、一の棒状体１ａで保持具本体部１と差込部６が曲げ加工によって形成され、差込部６もその曲げ加工品の一構成部分になっている。差込部６は金属製棒状加工部にして、一対の前記主棒部２ａの両上端２２から前記受棒部３ａがそれぞれ張出す側とは反対側にＵ字状（ヘアピン状を含む）に屈曲し、該主棒部２ａの下端方向へ延設すると共にその下端部分６３で、両受棒部３ａを対向するよう屈曲させてコ字状枠に結合させた差込棒部６ａとする。既述のごとく、一の棒状体の曲げ加工によって携帯保持具Ａを形成するが、前記下端部分６３で、一の棒状体の両端部分を対向するよう屈曲させて両者を結合させた差込棒部６ａに加工成形する。主棒部２ａの両上端２２から縦部分６１がそれぞれ下端方向へ延設し、その下端６３で、両横部分６２を対向するよう屈曲させて両端同士を突合せ、溶接固着する。ここでは、縦部分６１が下端６３近くの屈曲点６７から、下降するにしたがって後方側へ向かう外方広がり部分６８を設けて、縦部４との隙間εを大きくする(図１,図２)。ズボン９のベルト８に差込部６を差し込み易くするためである。符号６５は一の棒状体１ａの両端を突合せて接合した接合部分を示す。
【００１５】
次に、前記構成からなる携帯保持具Ａの一使用要領及び作用について説明する。まず、飲料用液体が入った５００mlの飲料用ペットボトル７の底部７０を、主部２と当て部５の空間Ｓに差込み、受部３でペットボトル７を受け支える状態にする。この段階で、主部２がペットボトル胴部７１の軸方向に沿わせて胴部後面７１ｃ側の外周面７１ａへ当接すると同時に、当て部５が胴部前面７１ｂ側の外周面７１ａに当接する。縦部４も図５のようにペットボトル胴部７１にあてがったようになる。受部３でペットボトル７を支えると共に、主部２,縦部４,当て部５でペットボトル７の胴部７１を取囲むようにして当接し、逆さにしない限り、ペットボトル７は保持具本体部１によって確実に保持される。
【００１６】
後は、ズボン９とベルト８との間に図７のごとく差込部６を差し込む。図７中、符号８１はウエストバンド、符号８２はバックル、符号９１はベルト通しを示す。これで、携帯保持具Ａを介して飲料用ペットボトル７が身体に掛止保持される。ペットボトル７に入った飲料用液体を飲みたい時は、ペットボトル７を手で握って引き上げれば、ペットボトル７だけが携帯保持具Ａから抜き取られ、簡単に吸水補給できる。飲んだ後は、平面視の図３で、主部２と当て部５がつくる空間Ｓへペットボトル７を押し込めば、図７のように再び携帯保持具Ａを介して飲料用ペットボトル７が身体に掛止保持される。飲料用ペットボトル７を腰に携帯した状態になり、また、両手を使って畑作業や工事作業に取り掛かることができる。
【００１７】
（２）実施形態２
図８〜図１１は、実施形態とは異なる別形態の携帯保持具Ａで、図８はその全体斜視図、図９は図８の携帯保持具Ａの右側面図、図１０は図８の携帯保持具Ａの正面図、図１１は図８の携帯保持具Ａの平面図を示す。
【００１８】
実施形態１では一本の棒状体ａからなる携帯保持具Ａとしたが、実施形態２の携帯保持具Ａは二つの棒状体１ａ,１ｂを備える。一の棒状体ａで保持具本体部１に係る主部２,受部３,縦部４と差込部６を構成する。他の棒状体１ｂで当て部５を構成する。本形態保持具も、保持具本体部１と差込部６とを具備する。保持具本体部１は主部２と受部３と縦部４と当て部５とを備えるが、主部２,受部３は実施形態１の主棒部２ａ,受棒部３ａと同形状で、その説明を省く。
【００１９】
縦部４は、一対の前記受棒部３ａの先端３１(前端)でそれぞれ上方へ屈曲し、胴部７１の軸上方向に向かって平行配設される一対の縦棒部４ａとする。縦部４は主棒部２ａよりも短く、主棒部２ａの高さよりも低い地点が縦部上端４２になる。一対の主棒部２ａと一対の縦棒部４ａが、図９,図１０のように相対向する。
【００２０】
当て部５は、主棒部２ａ,受棒部３ａ,縦部４,差込棒部６ａを形成する一の棒状体ａと違って、他の金属製棒状体１ｂで形成する。保持具本体部１がペットボトル７を保持する図９,図１１の状態で、当て部５を、前記胴部７１の前面側７１ｂでその外周に沿うよう湾曲させた一本の弧状棒状体とする。そして、この弧状棒状体を、両縦棒部４ａの上端に一体化溶接すると共に、両縦棒部４ａからそれぞれ該胴部７１の周方向へ弧状に突出す突出部分５２を有する当て棒部５ａとする。両突出部分５２の先端には安全保護のため樹脂製キャップ５５が被着される。符号５１は当て棒部５ａの基部を示す。図１１の矢印のごとく、当て棒部５ａを弾性変形させて、その弾性復元力でペットボトル外周面７１ａにキャップ５５を当接させる構成にすると、携帯保持具Ａの保持力が高まり、より好ましくなる。
【００２１】
差込部６は、金属製棒状加工部にして、一対の前記主棒部２ａの両上端２２から前記受棒部３ａがそれぞれ張出す側とは反対側へＵ字状に屈曲し、該主棒部２ａの下端方向へ延設すると共にその下端部分で、対向するよう屈曲させて両者を結合させた差込棒部６ａとする。差込棒部６ａの縦部分６１は、ほぼ全域で主棒部２ａに平行に配設され、図２に存在する屈曲点６７や外方広がり部６８はない。他の構成は実施形態と同様でその説明を省く。実施形態と同一符号は同一又は相当部分を示す。
【００２２】
（３）実施形態３
図１２は、実施形態１,２とはまた異なる別形態の携帯保持具Ａで、その全体斜視図を示す。本実施形態の携帯保持具Ａは板状の樹脂製携帯保持具Ａであって、保持具本体と差込部６が一体成形で造られる。図１２のごとく、ほぼ同一厚みで主部２,受部３,縦部４,当て部５,差込部６が樹脂成形される。飲料用ペットボトル７の胴部７１の後方外周面７１ａ側で、その胴部７１の軸方向に沿わせて該胴部７１に当てる板状主部２を設ける。この主部２の下端から水平前方向に張出し前記ペットボトル７の底部７０を受け支える板状受部３を設け、さらに該受部３の先端３１で上方へ屈曲し、前記胴部７１の前方外周面７１ａ側で該胴部７１の軸上方向へ向かう板状縦部４を設ける。そして、該縦部４の上端部位４１でこの縦部４に一体化し、前記胴部７１の前面側７１ｂで胴部外周に沿うよう湾曲して胴部外周面７１ａに当接する板状当て部５を設けて、ペットボトル７が保持される保持具本体部１とする。保持具本体部１がペットボトル７を保持したとき、当て部５は縦部４から水平横方向へ湾状突出して、ペットボトル胴部７１に巻き付くようにする。さらに、前記主部２の上端２２から前記受部３が張出す側とは反対側へＵ字状（ヘアピン状を含む）に屈曲し、該主部２の下端方向へ延設される板状差込部６を設けて、携帯保持具Ａとする。
【００２３】
このように構成した携帯保持具Ａは、棒状又は板状にして、主部２の下端２１から水平前方向に張出す受部３でペットボトル７の底部７０を受け支えると共に、飲料用ペットボトル７の胴部７１の外周面７１ａに、主部２,縦部４,当て部５がペットボトル胴部７１を取囲むようにして当接するので、保持具本体部１とペットボトル７の一体化が容易に保たれる。実用新案登録第３１４６５１６号の考案と違って、部品点数が一点からなり管理が楽になる。また、実用新案登録第３１４６５１６号の考案は、飲料水を飲もうとしたとき、保持具本体とゴムバンドからなる携帯保持具と一緒に、ペットボトル７をズボン９から引き抜かねばならなかったが、本考案の携帯保持具Ａは、ペットボトル７だけを携帯保持具Ａから抜き取ることができ、使い勝手も一段と良好となる。飲んだ後の携帯保持具Ａへのペットボトル７収納も、これを保持具本体部１に差し込むだけで足り、ゴムバンドを巻くなどの手間が解消される。保持具本体部１がシンプルな構成でありながら、携帯保持具Ａとして優れた効果を発揮する。
【００２４】
また、主部２の上端２２から受部３が張出す側とは反対側へＵ字状に屈曲し、該主部２の下端方向へ延びる差込部６が設けられるので、該差込部６をズボン９のベルトに差し込み易くなる。受部３は飲料が入ったペットボトル７の重みを受け支えて安定保持すると同時に、この受部３に加わったペットボトル７の下方に向かう重力の重みを、主部２を介して差込部６に下方に向かう重みとして伝達するので、ズボン９とベルト８との間に差し込んだ差込部６がしっかりと掛止保持される（図７）。加えて、主部２,受部３,縦部４,当て部５に囲まれたスペースＳ内で、ペットボトル７がこれらに当接し、収納,保持されるので、特許文献１,２のように揺動する虞がなく、差込部６を腰のベルト８に差し込んで安定保持できる。
【００２５】
その一方で、ペットボトル７を手に持ち引き上げれば保持具本体部１から容易に外れるので、ペットボトル７の飲料液体を飲みたい時にいつでも腰から該ペットボトルだけを取り出せる。飲んだ後、保持具本体部１に納めるときは、受部３と縦部４と当て部５と主部２とで囲む上面開口の収容スペースＳへペットボトル７の底部７０を入れれば、既述のごとく簡単に元の状態に納まる。ペットボトル７を保持具本体部１へ収納する際、図３や図２のごとくペットボトル胴部７１と当て部５が少し干渉していても、ペットボトル７に係る丸みある底部７０が縦部４を弾性変形させて水平前方へ押し出し、また当て部５が丸棒からなるので、保持具本体部１へペットボトル７を円滑に収納できる。収納後は縦部４の弾性復元力の力を借りて、当て部５がペットボトル７を押圧保持できるので、携帯保持具Ａとペットボトル７の一体化が一層高まりより好ましくなっている。
かくのごとく軽量且つコンパクトで、持ち歩くのに頗る便利な携帯保持具Ａになっている。さらに、当て部５に氏名の文字（記号を含む）や図形等の刻印５９を設けた保持具本体部１とすると、携帯保持具の紛失防止に役立つ。
【００２６】
また、携帯保持具Ａ,保持具本体部１が金属製棒状加工品１ａであると、その軽量化が一層進む。胴部７１の軸方向に沿って主棒部２ａを二本形成すると、ペットボトル胴部７１の円弧形膨らみが図３のごとく二本の主棒部２ａの間に挟まるので、ペットボトル７が横ズレするのを該縦棒部４ａで止めることができる。携帯保持具Ａを腰のベルト等に取付ければ、ペットボトル７は該携帯保持具Ａを介してブラつくことなく安定保持される。畑作業や工事作業等で身体を動かしても、ペットボトル７が腰をたたいたり、作業そのものを邪魔したりすることもない。
【００２７】
加えて、両主棒部２ａの上端２２からＵ字状(又はヘアピン状)に屈曲し、該主棒部２ａとの間に隙間εを確保しながら下端方向へ延設されてコ字形枠の差込部６を形成するので、差込部６を簡単に腰のズボン９とベルト８との間に差込み、携帯保持具Ａを腰へ簡単に取付けることができる。差込部６をコ字形枠や図１２のような舌片形状とすると、特許文献１のクリップと違って、腰に差込部６が食い込むことがないので、差込部６をベルト等に差し込んだまま身体を動かしても痛みを受けることがない。ペットボトル７付き携帯保持具Ａを腰に取付けたまま長時間作業ができる。さらにいえば、図１のように携帯保持具Ａが、一本の棒部材１ａを曲げ成形加工して、その両端を一体化して作製されると、軽量化,低コスト化が一層図られ且つ見栄えも良くなるなどの効果がある。
上述のごとく、本携帯保持具Ａは数々の優れた効果を発揮し極めて有益となる。
【００２８】
尚、本考案においては前記実施形態に示すものに限られず、目的,用途に応じて本考案の範囲で種々変更できる。例えば、実施形態では中実の丸棒を用いて、主棒部２ａ,受棒部３ａ等の一の棒状体を形成したが、丸棒に代えてパイプを用いることもできる。保持具本体部１,主部２,受部３,縦部４,当て部５,差込部６,ペットボトル７等の形状,大きさ,個数,材質等は用途に合わせて適宜選択できる。
【符号の説明】
【００２９】
１          保持具本体部
２          主部
２ａ        主棒部
３          受部
３ａ        受棒部
４          縦部
４ａ        縦棒部
５          当て部
５ａ        当て棒部
５２        突出部分
５８        平坦面
５９        刻印
６          差込部
６ａ        差込棒部
７          ペットボトル
７１        胴部
７１ａ      外周面
【図１】
0003155881.tif 000003
【図２】
0003155881.tif 000004
【図３】
0003155881.tif 000005
【図４】
0003155881.tif 000006
【図５】
0003155881.tif 000007
【図６】
0003155881.tif 000008
【図７】
0003155881.tif 000009
【図８】
0003155881.tif 000010
【図９】
0003155881.tif 000011
【図１０】
0003155881.tif 000012
【図１１】
0003155881.tif 000013
【図１２】
0003155881.tif 000014